(57)【要約】【課題】カレンダー機能と種々の広告、ガイド機能とを兼ね備え、利用者側にとっては旅行・観光・行楽・レジャー等の計画を立てる際に便利であるとともに、広告主側にとっては多数の広告対象を同時に効率良く広告でき高い広告宣伝効果を期待できるカレンダーを提供する。【解決手段】カレンダー台紙１２の紙面上に複数の日付表示１４が整列表示されるカレンダーであって、それぞれの日付表示１４に対応した複数の広告写真１６を含む広告情報１６が記載され、当該台紙の裏面１２ｂには、該広告写真１６に関連する地域の地図であって、それぞれの広告写真１６により特定される広告対象（２２）の地点が識別可能に表示された地図が記載されたことを特徴とするカレンダー１０から構成される。【選択図】図１
0003132688.tif 000002
【実用新案登録請求の範囲】
【請求項１】
カレンダー台紙の紙面上に複数の日付表示が整列表示されるカレンダーであって、
それぞれの日付表示に対応した複数の広告写真を含む広告情報が記載され、
日付表示及びその日付表示ごとの広告情報が記載される部分以外の台紙区域、当該台紙の裏面又は他の台紙には、該広告写真に関連する地域の地図であって、それぞれの広告写真により特定される広告対象の地点が識別可能に表示された地図が記載されたことを特徴とするカレンダー。
【請求項２】
２つの台紙が見開き状態となって使用されるように開閉自在に綴られた複数の台紙を含み、
見開き状態の２つの台紙のうち、一方の台紙面に日付表示及びその日付表示ごとの広告情報が記載され、
見開き状態の他方の台紙面に一方の台紙面の広告写真に関連する地図が記載された請求項１記載のカレンダー。
【請求項３】
日付表示ごとの各広告情報にはそれらの広告写真を識別する識別記号を含み、地図上の広告写真により特定される広告対象の地点には識別記号が表示された請求項１又は２記載のカレンダー。
【請求項４】
地図が記載された紙面の地図以外の部分には、広告写真により特定される広告対象と識別記号との対応表が記載された請求項３記載のカレンダー。
【請求項５】
地図が記載された紙面には、広告写真により特定される広告対象とともにその広告対象の地点に配置された識別記号から引出した引出線により指示した広告対象に隣接してメモ用空白欄が設けられた請求項３又は４記載のカレンダー。
【請求項６】
１の台紙面にひと月分の日付表示が表示され、ひと月分のそれぞれの日付表示の広告写真は１つの地図の区画内に表される地域のものに設定されるとともに、各月ごとに関連する地域が異なっており、
台紙の外縁には広告写真に関連する地域を区別できる張り出しタブが設けられた請求項１ないし５のいずれかに記載のカレンダー。
【考案の詳細な説明】
【技術分野】
【０００１】
本考案は、広告、ガイド機能を有するカレンダーに関する。
【背景技術】
【０００２】
カレンダーは、月、日、曜日が表示されるだけでなく、写真や絵画或いは広告が記載されるものが多く、インテリアの一部又はノベルティとして幅広く利用されている。さらに、日付を表す数字の上部、下部、左部、右部のいずれかに空白が設けられているものもあり、日々のメモやスケジュール管理などに利用される場合がある。また、例えば、特許文献１には、日付欄の近傍に設けられる余白に写真を掲示できるカレンダーが提案されている。
【特許文献１】登録実用新案第３０４０７５６号公報
【考案の開示】
【考案が解決しようとする課題】
【０００３】
例えば、温泉旅行等の計画を立てる際には、カレンダーで週末や連休等の日程を見る一方で、雑誌やガイドブック等で温泉、宿泊施設や観光地、イベント及びそれらの場所を示す地図を見る場合が多い。しかしながら、従来では、カレンダーと雑誌やガイドブックとを別々に用意する必要があり、煩わしい場合があった。また、カレンダーは頻繁に目にするため高い広告宣伝効果を期待できるが、できるだけ多くの広告主を記載して、広告宣伝効果や費用対効果をより高めたいといった要望があった。
【０００４】
本考案は、上記従来の課題に鑑みてなされたものであり、その一つの目的は、例えば、カレンダー機能と種々の広告、ガイド機能とを兼ね備え、利用者側にとっては旅行・観光・行楽・レジャー等の計画を立てる際に便利であるとともに、広告主側にとっては多数の広告対象を同時に効率良く広告でき高い広告宣伝効果を期待できるカレンダーを提供することにある。
【課題を解決するための手段】
【０００５】
上記課題を解決するために本考案は、カレンダー台紙１２、１２１の紙面上に複数の日付表示１４が整列表示されるカレンダーであって、それぞれの日付表示１４に対応した複数の広告写真１６を含む広告情報１６が記載され、日付表示１４及びその日付表示１４ごとの広告情報１６が記載される部分以外の台紙区域、当該台紙の裏面１２ｂ又は他の台紙（１２２）には、該広告写真１６に関連する地域の地図であって、それぞれの広告写真１６により特定される広告対象（２２）の地点が識別可能に表示された地図２０が記載されたことを特徴とするカレンダー１０，１０ａから構成される。例えば、地図２０上での広告対象の識別は、数字や文字、記号等の識別記号２６，２７を利用したり、又は広告対象の地点にドット表示や丸記号等を表示し、該表示に隣接して広告対象を記載したり、該表示から引き出した引出線により指示される広告対象を記載したりしてもよく、任意の識別手段でよい。カレンダーには、例えば、押しピン刺し用の孔、壁掛け用のフックや紐、その他任意の壁掛け手段、設置手段が設けられていても良い。
【０００６】
また、２つの台紙が見開き状態となって使用されるように開閉自在に綴られた複数の台紙１２を含み、見開き状態の２つの台紙のうち、一方の台紙面（１２１）に日付表示１４及びその日付表示ごとの広告情報１８が記載され、見開き状態の他方の台紙面（１２２）に一方の台紙面（１２１）の広告写真１６に関連する地図２０が記載されたこととしてもよい。
【０００７】
また、日付表示１４ごとの各広告情報１８にはそれらの広告写真１６を識別する識別記号２７を含み、地図２０上の広告写真１６により特定される広告対象（２２）の地点には識別記号２７が表示されたこととしてもよい。
【０００８】
また、地図２０が記載された紙面の地図以外の部分には、広告写真により特定される広告対象（２２）と識別記号２７との対応表３２が記載されたこととしてもよい。
【０００９】
また、地図２０が記載された紙面には、広告写真により特定される広告対象（２２ａ）とともにその広告対象（２２）の地点に配置された識別記号２７から引出した引出線２８により指示した広告対象（２２ａ）に隣接してメモ用空白欄３０が設けられたこととしてもよい。
【００１０】
また、１の台紙面にひと月分の日付表示１４が表示され、ひと月分のそれぞれの日付表示１４の広告写真１６は１つの地図の区画内に表される地域のものに設定されるとともに、各月ごとに関連する地域が異なっており、台紙１２、１２１，１２２の外縁には広告写真１６に関連する地域を区別できる張り出しタブ３４が設けられたこととしてもよい。
【考案の効果】
【００１１】
本考案のカレンダーによれば、カレンダー台紙の紙面上に複数の日付表示が整列表示されるカレンダーであって、それぞれの日付表示に対応した複数の広告写真を含む広告情報が記載され、日付表示及びその日付表示ごとの広告情報が記載される部分以外の台紙区域、当該台紙の裏面又は他の台紙には、該広告写真に関連する地域の地図であって、それぞれの広告写真により特定される広告対象の地点が識別可能に表示された地図が記載されたことから、１つのカレンダーのみでカレンダー機能と種々の広告、ガイド機能とを兼ね備える結果、利用者側にとっては旅行・観光・行楽・レジャー等の計画を立てる際に、雑誌やガイドブック等を別途用意する必要がなく利便性が高いとともに、広告主側にとっては頻繁に目にするカレンダーに多数の広告対象を同時に効率良く記載しているので、高い広告宣伝効果及び費用対効果を期待できる。また、種々の広告写真が同時に表示されるので見た目もよい。
【００１２】
また、２つの台紙が見開き状態となって使用されるように開閉自在に綴られた複数の台紙を含み、見開き状態の２つの台紙のうち、一方の台紙面に日付表示及びその日付表示ごとの広告情報が記載され、見開き状態の他方の台紙面に一方の台紙面の広告写真に関連する地図が記載された構成とすることにより、上下又は左右に台紙が見開いた状態で日付表示及び広告写真と地図とが対応配置されるので使いやすい。
【００１３】
また、日付表示ごとの各広告情報にはそれらの広告写真を識別する識別記号を含み、地図上の広告写真により特定される広告対象の地点には識別記号が表示された構成とすることにより、地図上に識別記号を記載して、地図上で目的とする広告写真により特定される広告対象の地点を簡単に探すことができる。
【００１４】
また、地図が記載された紙面の地図以外の部分には、広告写真により特定される広告対象と識別記号との対応表が記載された構成とすることにより、広告対象と識別記号との対応関係が見やすく、日付表示の広告情報からその広告対象の地図上の地点を、あるいは逆に地図上の地点から目的の広告対象の広告情報をより簡単に探すことができる。
【００１５】
また、地図が記載された紙面には、広告写真により特定される広告対象とともにその広告対象の地点に配置された識別記号から引出した引出線により指示した広告対象に隣接してメモ用空白欄が設けられたことから、メモ用空白欄に、例えば、旅行日程や予約等のメモ、その他任意のメモを自由に記述することができ、使い勝手がよい。
【００１６】
また、１の台紙面にひと月分の日付表示が表示され、ひと月分のそれぞれの日付表示の広告写真は１つの地図の区画内に表される地域のものに設定されるとともに、各月ごとに関連する地域が異なっており、台紙の外縁には広告写真に関連する地域を区別できる張り出しタブが設けられた構成とすることにより、簡単かつスムーズに目的の広告写真又はそれに関連する地域が記載されている台紙を開くことができる。
【考案を実施するための最良の形態】
【００１７】
以下、添付図面を参照しつつ本考案のカレンダーの実施の形態について説明する。本考案のカレンダーは、台紙の紙面上に複数の日付表示が整列表示されたカレンダーであって、通常のカレンダーとして利用できるとともに広告、ガイド機能を備えている。図１ないし図３は、本考案のカレンダーの第１の実施形態を示している。本実施形態において、カレンダー１０は、台紙１２の紙面上（１２ａ）に複数の日付表示１４が整列表示されたカレンダーであって、図１、図２に示すように、それぞれの日付表示１４に対応した複数の広告写真１６を含む広告情報１８が記載され、当該台紙１２の他の紙面（１２ｂ）又は他の台紙には該広告写真１６に関連する地域の地図２０が記載されている。
【００１８】
本実施形態では、例えば、広告対象としては温泉の入浴・宿泊施設であり、広告写真１６としては温泉の入浴又は宿泊施設等の写真である態様で説明する。なお、広告対象としては、本実施形態のものに限らず、例えば、旧所・名跡、飲食店、美術館や博物館等の文化学術施設或いは遊園地やテーマパーク等の遊戯施設等の観光地、行楽地、又は各種イベントや祭り等その他地点が特定される任意のものでもよい。
【００１９】
本実施形態では、カレンダー１０は、図１に示すように、例えば、１の台紙１２の表面１２ａに月表示１３が記載されるとともに、該ひと月分の日付表示１４（例えば、１月であれば１日〜３１日）が曜日ごとに整列表示された月めくり式のカレンダーであり、１月から１２月まで１年分の少なくとも１２枚の台紙が綴られている。各日付表示１４は日付ごとに線表示等によって区画されており、該日付表示の数字が記載された部位の左右及び下方に隣接して広告情報欄が設けられている。図３に示すように、広告情報欄には、日付表示に対応して少なくとも広告対象である入浴・宿泊施設の広告写真１６と入浴・宿泊施設名２２が記載されている。さらに、広告情報欄には、広告写真等に隣接して、例えば、入浴・宿泊施設の住所、電話番号、各施設の紹介・特徴、ホームページアドレスや電子メールアドレス等その他任意の広告情報が記載される。すなわち、広告情報１８は、広告写真１６、入浴・宿泊施設名２２、住所、電話番号、紹介・特徴等の情報を含む。１つの日付表示１４に対応して１件の入浴・宿泊施設の広告情報が記載されており、１月のカレンダー台紙で３１件の入浴・宿泊施設の広告写真を含む広告情報が同時に記載される。さらに、本実施形態では、ひと月分のそれぞれの日付表示１４の広告写真１６はある１つの地図の区画内に表される地域のものに設定されている。例えば、１月のカレンダー台紙には○○地方（○○温泉）に属する入浴・宿泊施設がまとめられて記載され、２月以降それぞれ各月ごとにすなわち台紙ごとに関連する地域が異なって記載されている。よって、１月から１２月の１年分で３６５件（閏年では３６６件）の異なる広告写真が記載される。なお、本実施形態では、広告写真１６は、例えば各日付表示１４の下方側の比較的大きな区画に広告宣伝となる温泉浴場の写真１６ａが配置されるとともに、日付の数字の横に設けられた比較的小さな区画に入浴・宿泊施設の全体写真１６ｂが配置されている。さらに、広告情報欄の入浴・宿泊施設名２２に隣接して、入浴・宿泊施設の所在地点が後述の地図２０上で対応するマス目区画のどの位置であるかを表す区画記号２４が記載されている。また、広告情報欄には、例えば、昨年の天気等が記載されており、旅行計画等の際に参考できる。なお、日付表示ごとの広告写真により特定される広告対象の記載順番は、ランダムな順番でもよく、施設名の五十音順等の任意のルールで順番に整理されていても良い。また広告写真等の広告情報は日付表示の上方、右側等任意でよい。
【００２０】
図２に示すように、本実施形態では、当該台紙１２の裏面１２ｂに地図２０が記載されている。１月のカレンダーの台紙裏面１２ｂには、１月の台紙表面１２ａの日付表示１４に記載された広告写真１６に関連した地域（○○地方）の地図２０が記載されており、２月以降それぞれ台紙の表面に記載される日付表示ごとの広告写真に関連した異なる地域の地図が記載されている。地図２０には、上記した台紙の表面１２ａ側のそれぞれの日付表示１４ごとに記載された広告写真１６により特定される入浴・宿泊施設の所在地点が識別可能に表示される。例えば、地図２０上の入浴・宿泊施設の所在地点には、入浴・宿泊施設を識別する識別記号２６が配置されており、識別記号２６に隣接して入浴・宿泊施設名２２が記載されている。識別記号２６は、例えば、それぞれ入浴・宿泊施設が記載された日付表示の日付数字となっている。なお、識別記号２６は、日付の数字とは無関係の記号であって任意でよく、少なくともひと月分に同時に表示されるものどうしが重複しないように設定される任意の識別記号でよい。なお、識別記号化するものに限らず、印の横に施設名を記載したり、印から引き出した引出線に指示させて施設名を記載してもよい。図２では、説明のために地図を簡略して表しているが、実際には公知の種々の地図のように、山、河川、海等の地形或いは、ガソリンスタンド、コンビニエンスストア、警察、病院、公的機関等その他種々の地図情報が詳細に記載されていてもよい。本実施形態では、地図２０は、縦横格子状のマス目により複数の区画に区分けされており、地図の外周部分にはマス目区画の縦の位置を表す数字と横の位置を表すアルファベットとが記載されている。それぞれの入浴・宿泊施設の所在地点がマス目区画のどの区画に対応するかを表す区画表示２４を日付表示１４の広告情報の１つとして記載しておくことにより、地図２０上で目的の施設の所在地点を簡単に探すことができる。
【００２１】
利用者が本実施形態に係るカレンダー１０を用いて温泉旅行等の計画を立てる際には、台紙表面１２ａ側の日付表示１４で日にちや曜日等の日程を検討する。さらに、広告写真１６や広告情報１８を参考にして目的の入浴・温泉施設を選択し、台紙裏面１２ｂの地図２０上で、該選択した広告写真に対応する目的の入浴・温泉施設の所在地点を探しだす。また、逆に地図２０上の入浴・温泉施設の所在地点や施設名２２から台紙表面１２ａの広告写真１６や広告情報１８を参照することもできる。このように、１つのカレンダーで当該カレンダー機能に加えて旅行情報等のガイド機能を発揮することができ、利用者にとって利便性の高く、実用的なカレンダーを具現できる。その一方で、広告主にとっては、利用者が頻繁に目にするカレンダーに多数の広告対象を同時に効率良く記載しているので、高い広告宣伝効果及び高い費用対効果を期待できる。
【００２２】
次に図４を参照しつつ本考案の第２の実施形態を説明する。上記実施形態と同一部材には同一符号を付しその詳細な説明を省略する。図４に示すように、本実施形態に係るカレンダー１０ａは、１の台紙面にひと月分の日付表示が表示されるとともに、２つの台紙１２が上下に見開き状態となって使用されるように複数の台紙１２が開閉自在に綴られた月めくり式の見開きカレンダーの態様となっている。また、ひと月分のそれぞれの日付表示１４の広告写真１６は１つの地図の区画内に表される地域のものに設定されているとともに、各月ごとに地域が異なっている。この実施形態では、見開き状態の２つの台紙１２のうち、上方の台紙１２１の紙面に日付表示１４及びその日付表示ごとの広告情報１８が記載され、見開き状態の下方の台紙１２２の紙面に地図２０が記載されている。よって、日付表示１４に対応した広告情報１８と地図２０とを、簡単に対応付けて見ることができる。なお、日付表示等と地図とは上下の台紙位置を逆に配置してもよく、また台紙を左右に開く構成としてもよい。
【００２３】
本実施形態では、日付表示１４ごとの各広告情報欄にはそれらの広告写真１６を識別する識別記号２７が記載されている。すなわち、広告情報１８は広告写真１６を識別する識別記号２７を含む。識別記号２７は、本実施形態では、例えば、ひらがな一文字を丸で囲んだものからなり、少なくともひと月分に（同一紙面に）同時に表示されるものどうしが重複しないように設定される。なお、識別記号２７は任意でよく、例えば、広告対象のイニシャル、英数字、特殊記号その他任意の識別記号でよい。これらの各入浴・宿泊施設の識別記号２７に対応して、下方の台紙１２２の紙面に記載される地図２０上の各入浴・宿泊施設の所在地点に識別記号２７が表示されている。さらに、見開き下方の台紙１２２の紙面には、地図２０外の部分に入浴・温泉施設名２２ａが記載されるとともに該入浴・温泉施設名２２ａはそれらの所在地点に配置された識別記号２７から引出した引出線２８により指示され、囲み線により囲まれている。それらの囲み線内部には、入浴・温泉施設名２２ａに隣接してメモ用空白欄３０が設けられており、例えば、当該施設の予約日程や旅行スケジュール、その他任意のメモを自由に記載することができる。また、下方の台紙面の地図２０の右横部分には、入浴・宿泊施設名２２と識別記号２７との対応表３２が記載されている。これにより、対応関係が見やすく目的の入浴・宿泊施設から地図上の地点、あるいは逆に地図上の地点から入浴・宿泊施設の広告情報を探しやすくなっている。なお、本実施形態でも、日付表示１４ごとの広告情報欄に住所、電話番号等を記載してもよい。また、地図２０にマス目区画を設けても良い。
【００２４】
それぞれの台紙１２の外縁には、広告写真１６に関連する地域を区別できる張り出しタブ３４が設けられている。張り出しタブ３４には、該台紙ごと（各月ごと）の地域名が記載されており、それらの少なくとも一部分が互いに重ならないようにそれぞれ位置ずれして配置されている。この張り出しタブ３４を選択して手でつまんでめくり開くことで、簡単かつスムーズに目的の地域が記載されている台紙を開き見ることができる。
【００２５】
以上説明した本考案のカレンダーは、上記した実施形態のみの構成に限定されるものではなく、実用新案登録請求の範囲に記載した本考案の本質を逸脱しない範囲において、任意の改変を行ってもよい。
【産業上の利用可能性】
【００２６】
本考案のカレンダーは、種々の広告、ガイドに利用される。
【図面の簡単な説明】
【００２７】
【図１】本考案の第１の実施形態に係るカレンダーの１つの台紙の表面の概略説明図である。
【図２】図１のカレンダーの１つの台紙の裏面概略説明図である。
【図３】図１のカレンダーの一部拡大説明図である。
【図４】本考案の第２の実施形態に係るカレンダーの正面の概略説明図である。
【符号の説明】
【００２８】
１０，１０ａ    カレンダー
１２    台紙
１４    日付表示
１６    広告写真
１８    広告情報
２０    地図
２７    識別記号
２８    引出線
３０    メモ用空白欄
３２    対応表
３４    張り出しタブ
【図１】
0003132688.tif 000003
【図２】
0003132688.tif 000004
【図３】
0003132688.tif 000005
【図４】
0003132688.tif 000006
【手続補正書】
【提出日】平成19年4月19日(2007.4.19)
【手続補正１】
【補正対象書類名】実用新案登録請求の範囲
【補正対象項目名】全文
【補正方法】変更
【補正の内容】
【実用新案登録請求の範囲】
【請求項１】
カレンダー台紙の紙面上に複数の日付表示が整列表示されるカレンダーであって、
それぞれの日付表示に対応した複数の広告写真を含む広告情報が記載され、
日付表示及びその日付表示ごとの広告情報が記載される当該台紙の裏面又は他の台紙には、該広告写真に関連する地域の地図であって、それぞれの広告写真により特定される広告対象の地点が識別可能に表示された地図が記載されたことを特徴とするカレンダー。
【請求項２】
２つの台紙が見開き状態となって使用されるように開閉自在に綴られた複数の台紙を含み、
見開き状態の２つの台紙のうち、一方の台紙面に日付表示及びその日付表示ごとの広告情報が記載され、
見開き状態の他方の台紙面に一方の台紙面の広告写真に関連する地図が記載された請求項１記載のカレンダー。
【請求項３】
１の台紙面にひと月分の日付表示が表示され、ひと月分のそれぞれの日付表示の広告写真は１つの地図の区画内に表される地域のものに設定されるとともに、各月ごとに関連する地域が異なっており、
台紙の外縁には広告写真に関連する地域を区別できる張り出しタブが設けられた請求項１又は２記載のカレンダー。 
【手続補正２】
【補正対象書類名】明細書
【補正対象項目名】全文
【補正方法】変更
【補正の内容】
【考案の詳細な説明】
【技術分野】
【０００１】
本考案は、広告、ガイド機能を有するカレンダーに関する。
【背景技術】
【０００２】
カレンダーは、月、日、曜日が表示されるだけでなく、写真や絵画或いは広告が記載されるものが多く、インテリアの一部又はノベルティとして幅広く利用されている。さらに、日付を表す数字の上部、下部、左部、右部のいずれかに空白が設けられているものもあり、日々のメモやスケジュール管理などに利用される場合がある。また、例えば、特許文献１には、日付欄の近傍に設けられる余白に写真を掲示できるカレンダーが提案されている。
【特許文献１】登録実用新案第３０４０７５６号公報
【考案の開示】
【考案が解決しようとする課題】
【０００３】
例えば、温泉旅行等の計画を立てる際には、カレンダーで週末や連休等の日程を見る一方で、雑誌やガイドブック等で温泉、宿泊施設や観光地、イベント及びそれらの場所を示す地図を見る場合が多い。しかしながら、従来では、カレンダーと雑誌やガイドブックとを別々に用意する必要があり、煩わしい場合があった。また、カレンダーは頻繁に目にするため高い広告宣伝効果を期待できるが、できるだけ多くの広告主を記載して、広告宣伝効果や費用対効果をより高めたいといった要望があった。
【０００４】
本考案は、上記従来の課題に鑑みてなされたものであり、その一つの目的は、例えば、カレンダー機能と種々の広告、ガイド機能とを兼ね備え、利用者側にとっては旅行・観光・行楽・レジャー等の計画を立てる際に便利であるとともに、広告主側にとっては多数の広告対象を同時に効率良く広告でき高い広告宣伝効果を期待できるカレンダーを提供することにある。
【課題を解決するための手段】
【０００５】
上記課題を解決するために本考案は、カレンダー台紙１２、１２１の紙面上に複数の日付表示１４が整列表示されるカレンダーであって、それぞれの日付表示１４に対応した複数の広告写真１６を含む広告情報１６が記載され、日付表示１４及びその日付表示１４ごとの広告情報１６が記載される当該台紙の裏面１２ｂ又は他の台紙（１２２）には、該広告写真１６に関連する地域の地図であって、それぞれの広告写真１６により特定される広告対象（２２）の地点が識別可能に表示された地図２０が記載されたことを特徴とするカレンダー１０，１０ａから構成される。例えば、地図２０上での広告対象の識別は、数字や文字、記号等の識別記号２６，２７を利用したり、又は広告対象の地点にドット表示や丸記号等を表示し、該表示に隣接して広告対象を記載したり、該表示から引き出した引出線により指示される広告対象を記載したりしてもよく、任意の識別手段でよい。カレンダーには、例えば、押しピン刺し用の孔、壁掛け用のフックや紐、その他任意の壁掛け手段、設置手段が設けられていても良い。
【０００６】
また、２つの台紙が見開き状態となって使用されるように開閉自在に綴られた複数の台紙１２を含み、見開き状態の２つの台紙のうち、一方の台紙面（１２１）に日付表示１４及びその日付表示ごとの広告情報１８が記載され、見開き状態の他方の台紙面（１２２）に一方の台紙面（１２１）の広告写真１６に関連する地図２０が記載されたこととしてもよい。
【０００７】
また、１の台紙面にひと月分の日付表示１４が表示され、ひと月分のそれぞれの日付表示１４の広告写真１６は１つの地図の区画内に表される地域のものに設定されるとともに、各月ごとに関連する地域が異なっており、台紙１２、１２１，１２２の外縁には広告写真１６に関連する地域を区別できる張り出しタブ３４が設けられたこととしてもよい。
【考案の効果】
【０００８】
本考案のカレンダーによれば、カレンダー台紙の紙面上に複数の日付表示が整列表示されるカレンダーであって、それぞれの日付表示に対応した複数の広告写真を含む広告情報が記載され、日付表示及びその日付表示ごとの広告情報が記載される部分以外の台紙区域、当該台紙の裏面又は他の台紙には、該広告写真に関連する地域の地図であって、それぞれの広告写真により特定される広告対象の地点が識別可能に表示された地図が記載されたことから、１つのカレンダーのみでカレンダー機能と種々の広告、ガイド機能とを兼ね備える結果、利用者側にとっては旅行・観光・行楽・レジャー等の計画を立てる際に、雑誌やガイドブック等を別途用意する必要がなく利便性が高いとともに、広告主側にとっては頻繁に目にするカレンダーに多数の広告対象を同時に効率良く記載しているので、高い広告宣伝効果及び費用対効果を期待できる。また、種々の広告写真が同時に表示されるので見た目もよい。
【０００９】
また、２つの台紙が見開き状態となって使用されるように開閉自在に綴られた複数の台紙を含み、見開き状態の２つの台紙のうち、一方の台紙面に日付表示及びその日付表示ごとの広告情報が記載され、見開き状態の他方の台紙面に一方の台紙面の広告写真に関連する地図が記載された構成とすることにより、上下又は左右に台紙が見開いた状態で日付表示及び広告写真と地図とが対応配置されるので使いやすい。
【００１０】
また、日付表示ごとの各広告情報にはそれらの広告写真を識別する識別記号を含み、地図上の広告写真により特定される広告対象の地点には識別記号が表示された構成とすることにより、地図上に識別記号を記載して、地図上で目的とする広告写真により特定される広告対象の地点を簡単に探すことができる。
【００１１】
また、地図が記載された紙面の地図以外の部分には、広告写真により特定される広告対象と識別記号との対応表が記載された構成とすることにより、広告対象と識別記号との対応関係が見やすく、日付表示の広告情報からその広告対象の地図上の地点を、あるいは逆に地図上の地点から目的の広告対象の広告情報をより簡単に探すことができる。
【００１２】
また、地図が記載された紙面には、広告写真により特定される広告対象とともにその広告対象の地点に配置された識別記号から引出した引出線により指示した広告対象に隣接してメモ用空白欄が設けられたことから、メモ用空白欄に、例えば、旅行日程や予約等のメモ、その他任意のメモを自由に記述することができ、使い勝手がよい。
【００１３】
また、１の台紙面にひと月分の日付表示が表示され、ひと月分のそれぞれの日付表示の広告写真は１つの地図の区画内に表される地域のものに設定されるとともに、各月ごとに関連する地域が異なっており、台紙の外縁には広告写真に関連する地域を区別できる張り出しタブが設けられた構成とすることにより、簡単かつスムーズに目的の広告写真又はそれに関連する地域が記載されている台紙を開くことができる。
【考案を実施するための最良の形態】
【００１４】
以下、添付図面を参照しつつ本考案のカレンダーの実施の形態について説明する。本考案のカレンダーは、台紙の紙面上に複数の日付表示が整列表示されたカレンダーであって、通常のカレンダーとして利用できるとともに広告、ガイド機能を備えている。図１ないし図３は、本考案のカレンダーの第１の実施形態を示している。本実施形態において、カレンダー１０は、台紙１２の紙面上（１２ａ）に複数の日付表示１４が整列表示されたカレンダーであって、図１、図２に示すように、それぞれの日付表示１４に対応した複数の広告写真１６を含む広告情報１８が記載され、当該台紙１２の他の紙面（１２ｂ）又は他の台紙には該広告写真１６に関連する地域の地図２０が記載されている。
【００１５】
本実施形態では、例えば、広告対象としては温泉の入浴・宿泊施設であり、広告写真１６としては温泉の入浴又は宿泊施設等の写真である態様で説明する。なお、広告対象としては、本実施形態のものに限らず、例えば、旧所・名跡、飲食店、美術館や博物館等の文化学術施設或いは遊園地やテーマパーク等の遊戯施設等の観光地、行楽地、又は各種イベントや祭り等その他地点が特定される任意のものでもよい。
【００１６】
本実施形態では、カレンダー１０は、図１に示すように、例えば、１の台紙１２の表面１２ａに月表示１３が記載されるとともに、該ひと月分の日付表示１４（例えば、１月であれば１日〜３１日）が曜日ごとに整列表示された月めくり式のカレンダーであり、１月から１２月まで１年分の少なくとも１２枚の台紙が綴られている。各日付表示１４は日付ごとに線表示等によって区画されており、該日付表示の数字が記載された部位の左右及び下方に隣接して広告情報欄が設けられている。図３に示すように、広告情報欄には、日付表示に対応して少なくとも広告対象である入浴・宿泊施設の広告写真１６と入浴・宿泊施設名２２が記載されている。さらに、広告情報欄には、広告写真等に隣接して、例えば、入浴・宿泊施設の住所、電話番号、各施設の紹介・特徴、ホームページアドレスや電子メールアドレス等その他任意の広告情報が記載される。すなわち、広告情報１８は、広告写真１６、入浴・宿泊施設名２２、住所、電話番号、紹介・特徴等の情報を含む。１つの日付表示１４に対応して１件の入浴・宿泊施設の広告情報が記載されており、１月のカレンダー台紙で３１件の入浴・宿泊施設の広告写真を含む広告情報が同時に記載される。さらに、本実施形態では、ひと月分のそれぞれの日付表示１４の広告写真１６はある１つの地図の区画内に表される地域のものに設定されている。例えば、１月のカレンダー台紙には○○地方（○○温泉）に属する入浴・宿泊施設がまとめられて記載され、２月以降それぞれ各月ごとにすなわち台紙ごとに関連する地域が異なって記載されている。よって、１月から１２月の１年分で３６５件（閏年では３６６件）の異なる広告写真が記載される。なお、本実施形態では、広告写真１６は、例えば各日付表示１４の下方側の比較的大きな区画に広告宣伝となる温泉浴場の写真１６ａが配置されるとともに、日付の数字の横に設けられた比較的小さな区画に入浴・宿泊施設の全体写真１６ｂが配置されている。さらに、広告情報欄の入浴・宿泊施設名２２に隣接して、入浴・宿泊施設の所在地点が後述の地図２０上で対応するマス目区画のどの位置であるかを表す区画記号２４が記載されている。また、広告情報欄には、例えば、昨年の天気等が記載されており、旅行計画等の際に参考できる。なお、日付表示ごとの広告写真により特定される広告対象の記載順番は、ランダムな順番でもよく、施設名の五十音順等の任意のルールで順番に整理されていても良い。また広告写真等の広告情報は日付表示の上方、右側等任意でよい。
【００１７】
図２に示すように、本実施形態では、当該台紙１２の裏面１２ｂに地図２０が記載されている。１月のカレンダーの台紙裏面１２ｂには、１月の台紙表面１２ａの日付表示１４に記載された広告写真１６に関連した地域（○○地方）の地図２０が記載されており、２月以降それぞれ台紙の表面に記載される日付表示ごとの広告写真に関連した異なる地域の地図が記載されている。地図２０には、上記した台紙の表面１２ａ側のそれぞれの日付表示１４ごとに記載された広告写真１６により特定される入浴・宿泊施設の所在地点が識別可能に表示される。例えば、地図２０上の入浴・宿泊施設の所在地点には、入浴・宿泊施設を識別する識別記号２６が配置されており、識別記号２６に隣接して入浴・宿泊施設名２２が記載されている。識別記号２６は、例えば、それぞれ入浴・宿泊施設が記載された日付表示の日付数字となっている。なお、識別記号２６は、日付の数字とは無関係の記号であって任意でよく、少なくともひと月分に同時に表示されるものどうしが重複しないように設定される任意の識別記号でよい。なお、識別記号化するものに限らず、印の横に施設名を記載したり、印から引き出した引出線に指示させて施設名を記載してもよい。図２では、説明のために地図を簡略して表しているが、実際には公知の種々の地図のように、山、河川、海等の地形或いは、ガソリンスタンド、コンビニエンスストア、警察、病院、公的機関等その他種々の地図情報が詳細に記載されていてもよい。本実施形態では、地図２０は、縦横格子状のマス目により複数の区画に区分けされており、地図の外周部分にはマス目区画の縦の位置を表す数字と横の位置を表すアルファベットとが記載されている。それぞれの入浴・宿泊施設の所在地点がマス目区画のどの区画に対応するかを表す区画表示２４を日付表示１４の広告情報の１つとして記載しておくことにより、地図２０上で目的の施設の所在地点を簡単に探すことができる。
【００１８】
利用者が本実施形態に係るカレンダー１０を用いて温泉旅行等の計画を立てる際には、台紙表面１２ａ側の日付表示１４で日にちや曜日等の日程を検討する。さらに、広告写真１６や広告情報１８を参考にして目的の入浴・温泉施設を選択し、台紙裏面１２ｂの地図２０上で、該選択した広告写真に対応する目的の入浴・温泉施設の所在地点を探しだす。また、逆に地図２０上の入浴・温泉施設の所在地点や施設名２２から台紙表面１２ａの広告写真１６や広告情報１８を参照することもできる。このように、１つのカレンダーで当該カレンダー機能に加えて旅行情報等のガイド機能を発揮することができ、利用者にとって利便性の高く、実用的なカレンダーを具現できる。その一方で、広告主にとっては、利用者が頻繁に目にするカレンダーに多数の広告対象を同時に効率良く記載しているので、高い広告宣伝効果及び高い費用対効果を期待できる。
【００１９】
次に図４を参照しつつ本考案の第２の実施形態を説明する。上記実施形態と同一部材には同一符号を付しその詳細な説明を省略する。図４に示すように、本実施形態に係るカレンダー１０ａは、１の台紙面にひと月分の日付表示が表示されるとともに、２つの台紙１２が上下に見開き状態となって使用されるように複数の台紙１２が開閉自在に綴られた月めくり式の見開きカレンダーの態様となっている。また、ひと月分のそれぞれの日付表示１４の広告写真１６は１つの地図の区画内に表される地域のものに設定されているとともに、各月ごとに地域が異なっている。この実施形態では、見開き状態の２つの台紙１２のうち、上方の台紙１２１の紙面に日付表示１４及びその日付表示ごとの広告情報１８が記載され、見開き状態の下方の台紙１２２の紙面に地図２０が記載されている。よって、日付表示１４に対応した広告情報１８と地図２０とを、簡単に対応付けて見ることができる。なお、日付表示等と地図とは上下の台紙位置を逆に配置してもよく、また台紙を左右に開く構成としてもよい。
【００２０】
本実施形態では、日付表示１４ごとの各広告情報欄にはそれらの広告写真１６を識別する識別記号２７が記載されている。すなわち、広告情報１８は広告写真１６を識別する識別記号２７を含む。識別記号２７は、本実施形態では、例えば、ひらがな一文字を丸で囲んだものからなり、少なくともひと月分に（同一紙面に）同時に表示されるものどうしが重複しないように設定される。なお、識別記号２７は任意でよく、例えば、広告対象のイニシャル、英数字、特殊記号その他任意の識別記号でよい。これらの各入浴・宿泊施設の識別記号２７に対応して、下方の台紙１２２の紙面に記載される地図２０上の各入浴・宿泊施設の所在地点に識別記号２７が表示されている。さらに、見開き下方の台紙１２２の紙面には、地図２０外の部分に入浴・温泉施設名２２ａが記載されるとともに該入浴・温泉施設名２２ａはそれらの所在地点に配置された識別記号２７から引出した引出線２８により指示され、囲み線により囲まれている。それらの囲み線内部には、入浴・温泉施設名２２ａに隣接してメモ用空白欄３０が設けられており、例えば、当該施設の予約日程や旅行スケジュール、その他任意のメモを自由に記載することができる。また、下方の台紙面の地図２０の右横部分には、入浴・宿泊施設名２２と識別記号２７との対応表３２が記載されている。これにより、対応関係が見やすく目的の入浴・宿泊施設から地図上の地点、あるいは逆に地図上の地点から入浴・宿泊施設の広告情報を探しやすくなっている。なお、本実施形態でも、日付表示１４ごとの広告情報欄に住所、電話番号等を記載してもよい。また、地図２０にマス目区画を設けても良い。
【００２１】
それぞれの台紙１２の外縁には、広告写真１６に関連する地域を区別できる張り出しタブ３４が設けられている。張り出しタブ３４には、該台紙ごと（各月ごと）の地域名が記載されており、それらの少なくとも一部分が互いに重ならないようにそれぞれ位置ずれして配置されている。この張り出しタブ３４を選択して手でつまんでめくり開くことで、簡単かつスムーズに目的の地域が記載されている台紙を開き見ることができる。
【００２２】
以上説明した本考案のカレンダーは、上記した実施形態のみの構成に限定されるものではなく、実用新案登録請求の範囲に記載した本考案の本質を逸脱しない範囲において、任意の改変を行ってもよい。
【産業上の利用可能性】
【００２３】
本考案のカレンダーは、種々の広告、ガイドに利用される。
【図面の簡単な説明】
【００２４】
【図１】本考案の第１の実施形態に係るカレンダーの１つの台紙の表面の概略説明図である。
【図２】図１のカレンダーの１つの台紙の裏面概略説明図である。
【図３】図１のカレンダーの一部拡大説明図である。
【図４】本考案の第２の実施形態に係るカレンダーの正面の概略説明図である。
【符号の説明】
【００２５】
１０，１０ａ    カレンダー
１２    台紙
１４    日付表示
１６    広告写真
１８    広告情報
２０    地図
２７    識別記号
２８    引出線
３０    メモ用空白欄
３２    対応表
３４    張り出しタブ